(57)【要約】　　　（修正有）【課題】写真プリントをインターネットを介してオンラインで注文する場合に、発注者であるユーザが自分が注文した内容が注文内容通りに受け付けられたかどうかを確認できると共に注文内容にかかる費用もわかるネットプリント注文システムを提供する。【解決手段】一般ユーザ端末４からプリント注文データをインターネット回線へ発信し、写真サービス会社２の受信サーバ１０が受け付ける。プリント注文データはエントリーサーバ１２に転送された後、合成サーバ１８が、受信サーバ１０で受け付けたプリント注文の受付ナンバーを生成すると共に当該受付ナンバー、受注金額合計及び注文内容確認を含んだ受注確認メールを一般ユーザ端末４及びユーザが出来上がりプリントを受け取る店舗８にインターネット回線を通じて発信する。【選択図】図２
2004139406.tif 000002
【特許請求の範囲】
【請求項１】
インターネット回線に接続された端末からインターネットを介してプリントを注文するネットプリント注文システムであって、
ユーザーの端末又は店頭受付端末から発信されたプリント注文をインターネット回線を介して受け付ける受信サーバと、
前記受信サーバで受け付けたプリント注文の受付特定情報を生成すると共に当該受付特定情報、当該プリント注文の受注金額合計並びに注文内容確認を含んだ受注確認メールを、前記ユーザーの端末又は店頭受付端末、及びユーザーが出来上がりプリントを受け取る店舗にインターネット回線を通じて発信する発信サーバと、からなるネットプリント注文システム。
【請求項２】
インターネット回線に接続された端末からインターネットを介してプリントを注文するネットプリント注文システムであって、
ユーザーの端末又は店頭受付端末から発信されたプリント注文をインターネット回線を介して受け付ける受信サーバと、
前記受信サーバに受け付けられたプリント注文のデータが前記受信サーバから送信されて当該プリント注文データをデータベース登録するエントリーサーバと、
プリントについての価格情報をデータベースとして格納しているマスタサーバと、
前記エントリーサーバのデータベース内のプリント注文データを引き出して当該プリント注文データの受付特定情報を生成すると共に前記マスタサーバから価格情報を取得し、前記受付特定情報を生成したプリント注文データの受注金額合計、前記受付特定情報、並びに注文内容確認を含んだ受注確認メールを前記ユーザーの端末又は店頭受付端末、及びユーザーが出来上がりプリントを受け取る店舗にインターネット回線を通じて発信する発信サーバと、からなるネットプリント注文システム。
【請求項３】
インターネット回線に接続された端末からインターネットを介してプリントを注文するネットプリント注文システムであって、
ユーザーの端末又は店頭受付端末から発信されたプリント注文をインターネット回線を介して受け付ける受信サーバと、
前記受信サーバに受け付けられたプリント注文のデータが前記受信サーバから送信されて当該プリント注文データをデータベース登録するエントリーサーバと、
プリントについての価格情報をデータベースとして格納しているマスタサーバと、
前記エントリーサーバのデータベース内のプリント注文データを引き出して、プリント対象画像をテンプレートと合成し、当該合成がなされると当該プリント注文データの受付特定情報を生成すると共に前記マスタサーバから得た価格情報を基に算出した前記受付特定情報を生成したプリント注文データの受注金額合計、前記受付特定情報、並びに注文内容確認を含んだ受注確認メールを前記ユーザーの端末又は店頭受付端末、及びユーザーが出来上がりプリントを受け取る店舗にインターネット回線を通じて発信する発信サーバと、からなるネットプリント注文システム。
【請求項４】
インターネット回線に接続された端末からインターネットを介してプリントを注文するネットプリント注文システムであって、
ユーザーに配布されたプログラムソフトを使用してユーザーの端末から発信されたプリント注文をインターネット回線を介して受け付ける受信サーバと、
前記受信サーバに受け付けられたプリント注文のデータが前記受信サーバから送信されて当該プリント注文データをデータベース登録するエントリーサーバと、
プリントについての価格情報をデータベースとして格納しているマスタサーバと、
前記エントリーサーバのデータベース内のプリント注文データを引き出して当該プリント注文データの受付特定情報を生成すると共に前記マスタサーバから価格情報を取得し、前記受付特定情報を生成したプリント注文データの受注金額合計、前記受付特定情報、並びに注文内容確認を含んだ受注確認メールを前記ユーザーの端末及びユーザーが出来上がりプリントを受け取る店舗にインターネット回線を通じて発信する発信サーバと、からなるネットプリント注文システム。
【発明の詳細な説明】
【０００１】
【発明の属する技術分野】
本発明は、インターネット回線を介して写真プリントを注文するネットプリント注文システムに関する。
【０００２】
【従来の技術】
従来、写真サービス会社が提携している大手写真店のホームページやインターネットプロバイダのホームページ（例えば、非特許文献１参照。）などから画像をアップロードしてインターネット回線を通じて当該ホームページで写真プリントを注文し、当該注文内容が写真サービス会社にネット送信されて写真サービス会社のネットサーバーが当該注文内容をウエブ受信し、写真サービス会社の製品工程がプリントを仕上げ、当該仕上がったプリントを発注者であるユーザーが指定箇所に受け取りに行くシステムがあった。
【０００３】
この場合、ユーザーは各ホームページが定める方法にしたがってインターネットに接続された端末機から画像をアップロードして写真プリントを注文し、仕上がったプリントを写真店などに受け取りに行っていた。
【０００４】
このシステムは、写真プリントをインターネットを介してオンラインで注文できるので、在宅にして写真プリントを注文することができる。そのため、プリントを注文するのにその都度店舗に出向く必要がなく、ユーザーにとって非常に便利である。
【０００５】
しかし、送信者であるユーザーは、プリント注文を送信したが、そのプリント注文がホームページ主催業者に無事に受信されたか不安になることがある。また、自分が注文した内容が注文内容通りに受け付けられたかどうかも確認したいし、注文内容の費用も知りたいところである。
【０００６】
【非特許文献１】
ＹＡＨＯＯ！ＪＡＰＡＮ・ＰＨＯＴＯＳのインターネットホームページ（２００２年９月１８日検索）＜ＵＲＬ：ｈｔｔｐ：／／ｈｅｌｐ．ｙａｈｏｏ．ｃｏ．ｊｐ／ｇｕｉｄｅ／ｊｐ／ｐｈ／９．ｈｔｍｌ＞
【０００７】
【発明が解決しようとする課題】
本発明は、上記の事情を考慮し、プリントをインターネットを介してオンラインで注文する場合に、発注者であるユーザーが自分が注文した内容が注文内容通りに受け付けられたかどうかを確認できると共に注文内容にかかる費用もわかるネットプリント注文システムを提供することを目的とする。
【０００８】
【課題を解決するための手段】
請求項１の本発明は、インターネット回線に接続された端末からインターネットを介してプリントを注文するネットプリント注文システムであって、
ユーザーの端末又は店頭受付端末から発信されたプリント注文をインターネット回線を介して受け付ける受信サーバと、
前記受信サーバで受け付けたプリント注文の受付特定情報を生成すると共に当該受付特定情報、当該プリント注文の受注金額合計並びに注文内容確認を含んだ受注確認メールを、前記ユーザーの端末又は店頭受付端末、及びユーザーが出来上がりプリントを受け取る店舗にインターネット回線を通じて発信する発信サーバと、からなるネットプリント注文システム、からなる。
【０００９】
請求項１の本発明によれば、ユーザーの端末又は店頭受付端末から、プリント注文をインターネット回線へ発信し、受信サーバが受け付ける。発信サーバは、前記受信サーバで受け付けたプリント注文の受付特定情報を生成すると共に当該受付特定情報、受注金額合計及び注文内容確認を含んだ受注確認メールを前記ユーザーの端末又は店頭受付端末、及びユーザーが出来上がりプリントを受け取る店舗にインターネット回線を通じて発信する。発注者であるユーザー又は店頭は、自分が注文した内容が注文内容通りに受け付けられたかどうかを確認できると共にそれにかかる費用もわかる。店舗も受注確認メールを受け取ることによって、ユーザーが仕上がったプリントを受け取りに来るであろうことが分かる。また、プリント注文の受付特定情報を生成するので、同じ端末から注文が複数あった場合にも注文毎に区別がつく。
【００１０】
請求項２の本発明は、インターネット回線に接続された端末からインターネットを介してプリントを注文するネットプリント注文システムであって、
ユーザーの端末又は店頭受付端末から発信されたプリント注文をインターネット回線を介して受け付ける受信サーバと、
前記受信サーバに受け付けられたプリント注文のデータが前記受信サーバから送信されて当該プリント注文データをデータベース登録するエントリーサーバと、
プリントについての価格情報をデータベースとして格納しているマスタサーバと、
前記エントリーサーバのデータベース内のプリント注文データを引き出して当該プリント注文データの受付特定情報を生成すると共に前記マスタサーバから価格情報を取得し、前記受付特定情報を生成したプリント注文データの受注金額合計、前記受付特定情報、並びに注文内容確認を含んだ受注確認メールを前記ユーザーの端末又は店頭受付端末、及びユーザーが出来上がりプリントを受け取る店舗にインターネット回線を通じて発信する発信サーバと、からなるネットプリント注文システム、からなる。
【００１１】
請求項２の本発明によれば、ユーザーの端末又は店頭受付端末から、プリント注文をインターネット回線へ発信し、受信サーバが受け付ける。前記受信サーバに受け付けられたプリント注文のデータは前記受信サーバからエントリーサーバに移動されてエントリーサーバでは当該プリント注文データをデータベース登録する。マスターサーバは、プリントについての価格情報をデータベースとして格納している。発信サーバは、前記エントリーサーバのデータベース上のプリント注文データを引き出して当該プリント注文データの受付特定情報を生成し、前記マスタサーバから価格情報を取得して、前記受付特定情報を生成したプリント注文データの受注金額合計、前記受付特定情報、並びに注文内容確認を含んだ受注確認メールを前記ユーザーの端末又は店頭受付端末、及びユーザーが出来上がりプリントを受け取る店舗にインターネット回線を通じて発信する。発注者であるユーザー又は店頭は、自分が注文した内容が注文内容通りに受け付けられたかどうかを確認できると共にそれにかかる費用もわかる。店舗も受注確認メールを受け取ることによって、ユーザーが仕上がったプリントを受け取りに来るであろうことが分かる。また、プリント注文データの受付特定情報を生成するので、同じ端末から注文が複数あった場合にも注文毎に区別がつく。
【００１２】
請求項３の本発明は、インターネット回線に接続された端末からインターネットを介してプリントを注文するネットプリント注文システムであって、
ユーザーの端末又は店頭受付端末から発信されたプリント注文をインターネット回線を介して受け付ける受信サーバと、
前記受信サーバに受け付けられたプリント注文のデータが前記受信サーバから送信されて当該プリント注文データをデータベース登録するエントリーサーバと、
プリントについての価格情報をデータベースとして格納しているマスタサーバと、
前記エントリーサーバのデータベース内のプリント注文データを引き出して、プリント対象画像をテンプレートと合成し、当該合成がなされると当該プリント注文データの受付特定情報を生成すると共に前記マスタサーバから得た価格情報を基に算出した前記受付特定情報を生成したプリント注文データの受注金額合計、前記受付特定情報、並びに注文内容確認を含んだ受注確認メールを前記ユーザーの端末又は店頭受付端末、及びユーザーが出来上がりプリントを受け取る店舗にインターネット回線を通じて発信する発信サーバと、からなるネットプリント注文システム、からなる。
【００１３】
請求項３の本発明によれば、ユーザーの端末又は店頭受付端末から、プリント注文をインターネット回線へ発信し、受信サーバが受け付ける。前記受信サーバに受け付けられたプリント注文のデータは前記受信サーバからエントリーサーバに移動されてエントリーサーバでは当該プリント注文データをデータベース登録する。マスターサーバは、プリントについての価格情報をデータベースとして格納している。発信サーバは、前記エントリーサーバのデータベース内のプリント注文データを引き出して、プリント対象画像をテンプレートと合成し、当該合成がなされると当該プリント注文データの受付特定情報を生成し、前記マスタサーバから得た価格情報を基に算出した前記受付特定情報を生成したプリント注文データの受注金額合計、前記受付特定情報、並びに注文内容確認を含んだ受注確認メールを前記ユーザーの端末又は店頭受付端末、及びユーザーが出来上がりプリントを受け取る店舗にインターネット回線を通じて発信する。発注者であるユーザー又は店頭は、自分が注文した内容が注文内容通りに受け付けられたかどうかを確認できると共にそれにかかる費用もわかる。店舗も受注確認メールを受け取ることによって、ユーザーが仕上がったプリントを受け取りに来るであろうことが分かる。ポストカードやカレンダーなどのようにテンプレートを利用する場合でも、プリント対象画像をテンプレートと合成して合成したプリント注文データの受付特定情報を生成するので、同じ端末から注文が複数あった場合にも注文毎に区別がつく。
【００１４】
請求項４の本発明は、インターネット回線に接続された端末からインターネットを介してプリントを注文するネットプリント注文システムであって、
ユーザーに配布されたプログラムソフトを使用してユーザーの端末から発信されたプリント注文をインターネット回線を介して受け付ける受信サーバと、
前記受信サーバに受け付けられたプリント注文のデータが前記受信サーバから送信されて当該プリント注文データをデータベース登録するエントリーサーバと、
プリントについての価格情報をデータベースとして格納しているマスタサーバと、
前記エントリーサーバのデータベース内のプリント注文データを引き出して当該プリント注文データの受付特定情報を生成すると共に前記マスタサーバから価格情報を取得し、前記受付特定情報を生成したプリント注文データの受注金額合計、前記受付特定情報、並びに注文内容確認を含んだ受注確認メールを前記ユーザーの端末及びユーザーが出来上がりプリントを受け取る店舗にインターネット回線を通じて発信する発信サーバと、からなるネットプリント注文システム、からなる。
【００１５】
請求項４の本発明によれば、ユーザーに配布されたプログラムソフトを使用してユーザーの端末から、プリント注文をインターネット回線へ発信し、受信サーバが受け付ける。前記受信サーバに受け付けられたプリント注文のデータは前記受信サーバからエントリーサーバに移動されてエントリーサーバでは当該プリント注文データをデータベース登録する。マスターサーバは、プリントについての価格情報をデータベースとして格納している。発信サーバは、前記エントリーサーバのデータベース上のプリント注文データを引き出して当該プリント注文データの受付特定情報を生成し、前記マスタサーバから価格情報を取得して、前記受付特定情報を生成したプリント注文データの受注金額合計、前記受付特定情報、並びに注文内容確認を含んだ受注確認メールを前記ユーザーの端末及びユーザーが出来上がりプリントを受け取る店舗にインターネット回線を通じて発信する。発注者であるユーザーは、自分が注文した内容が注文内容通りに受け付けられたかどうかを確認できると共にそれにかかる費用もわかる。店舗も受注確認メールを受け取ることによって、ユーザーが仕上がったプリントを受け取りに来るであろうことが分かる。また、プリント注文データの受付特定情報を生成するので、同じプログラムソフトを利用して同じ端末から注文が複数あった場合にも注文毎に区別がつく。
【００１６】
【発明の実施の形態】
以下、添付図面に従って本発明の実施の形態を詳説する。
【００１７】
図１はネットプリントシステムのネットワーク構成図である。
【００１８】
図１において、Ａ事業所、Ｂ事業所、…、Ｅ事業所等は、写真サービス会社の社内ネットワーク網（ＩＰ−ＶＰＮ）で接続されている。各事業所は、集配ラボの工場を備えている。
【００１９】
データセンタＸ４０のネットサーバ４０Ａは、インターネットを通じてプリント注文をウエブ受付できるようになっている。データセンタＹ５０のネットサーバ５０Ａは、インターネットを通じてプリント注文をＦＴＰ（Ｆｉｌｅ　Ｔｒａｎｓｆｅｒ　Ｐｒｏｔｏｃｏｌ）受付できるようになっている。
【００２０】
店頭受付端末機４２に画像データが記録されたメディアを装填し、ここでユーザ情報、受取先、画像選択、プリント枚数等の必要な情報を入力し、送信を指令すると、前記必要な情報とともに選択された画像のデータがインターネットを通じてネットサーバ５０Ａにアップロードされる。
【００２１】
また、取次店４４に設置されている端末機からも上記と同様にして写真プリントのウエブ受付ができるようになっている。
【００２２】
更に、一般ユーザ４６のパソコンからも所定のプログラムソフトを格納したＣＤ−ＲＯＭを使用して画像をアップロードしてインターネットを通じてネットサーバ５０ＡにＦＴＰ送信することができる。
【００２３】
更に、ネットプリント提携企業４８が提供しているホームページ上で、写真プリントのウエブ受付ができるようになっており、ネットサーバ４０Ａに画像をアップロードすることができる。
【００２４】
各事業所は、ネットサーバ４０Ａ、５０Ａにアップロードされた画像データのうち、それぞれ自分の事業所が管轄している集配エリアから受付した画像データ等をダウンロードする。
【００２５】
各事業所は、社内ネットワーク網で接続されていることで、各事業所間では、相互にデータを転送でき、例えば、ある事業所では処理できない製品の注文を受けた場合には、処理可能な他の事業所に回送する処理が行われる。
【００２６】
図２は、一般ユーザ端末から写真サービス会社へ写真プリントをインターネットを介してＦＴＰ送信にて注文する場合の一般ユーザ端末、写真サービス会社、受け取り店舗の構成を示した図である。
【００２７】
一般ユーザ端末４は、インターネット回線で写真サービス会社のデータセンタＹ５０のネットサーバ５０Ａに接続している。一般ユーザ端末４は、ＣＤ−ＲＯＭドライブを装備したパソコンが一般である。一般ユーザ端末４からは、インターネット回線を介してＦＴＰ送信して写真プリント注文データ及びプリントしようとする画像データを写真サービス会社２に送信する。
【００２８】
データセンタＹ５０のネットサーバ５０Ａは、後述する受信サーバ１０、エントリーサーバ１２、マスタサーバ１６、合成サーバ１８からなる。写真サービス会社２は、これらの受信サーバ１０、エントリーサーバ１２、マスタサーバ１６、合成サーバ１８に加え、工場２０からなる。
【００２９】
受信サーバ１０は、一般ユーザ端末４からＦＴＰ送信された写真プリント注文データ及びプリントしようとする画像データを受信する。受信したデータは、エントリーサーバ１２に転送され、エントリーサーバ１２に備えられたデータベース１４にデータベース登録される。マスタサーバ１６には、写真プリントの単価情報、店舗情報が格納されている。
【００３０】
合成サーバ１８は、エントリーサーバ１２のデータベース１４に蓄積されている注文データ、画像データを引き出し、受付ナンバーを新たに付与する。合成サーバ１８は、写真プリント注文が、ポストカード、カレンダー等の場合は、画像をテンプレートと合成する機能も果たす。この場合は、合成後に上記新たな受付ナンバーが付与される。新たに付与された受付ナンバーで生産中の商品が工場２０内の工程を流れ、プリント出力される。合成サーバ１８からは、注文データを発信した一般ユーザ端末４及びそのユーザがプリント製品を受け取りにいく店舗８へ注文確認メールを発信する。上記合成工程が必要な場合は、合成後に確認メールは発信される。
【００３１】
一般ユーザ端末４、店舗８は、合成サーバ１８から発信された確認メールを受信し、一般ユーザは写真プリント注文が適切に受付られたことを確認でき、店舗８はそのユーザが出来上がるであろう写真プリント製品を受け取りに来ることがわかる。
【００３２】
本発明の実施の形態の作用を上記流れを更に詳説する形で説明する。
【００３３】
図３は、一般ユーザが写真プリントを注文する前段階から注文、確認メール発信、写真プリント製品受け取りまでの詳細な流れを示したフローチャートである。
【００３４】
まず、ステップ６０を説明する。写真店などの店舗は、自分の店が地域的に担当する一般ユーザにデジタルカメラで撮影した写真プリントを注文する場合に使用するＣＤ−ＲＯＭを配布する。図４は、そのＣＤ−ＲＯＭ６を使用して写真プリントを注文する際の注文画面及び右下に当該ＣＤ−ＲＯＭ６に付与されたＩＤ番号を示した図である。
【００３５】
配布される注文用ＣＤ−ＲＯＭ６には、図４右下に示されるようなショップＩＤが貼り付けられている。ショップＩＤナンバーは、７桁で、最初の頭２桁（ここでは「１５」）が、処理工場ナンバー（＝所コード）を表し、後の５桁（ここでは「０００００」）は、店ナンバーを表す。写真プリント注文に対する受付ナンバーは、この時点ではまだ発行されない。一人のユーザが、同じＣＤ−ＲＯＭで、２回以上注文した場合、写真サービス会社側でナンバーが重複してしまうためと、なるべくユーザ入力工数の負荷を軽減し、入力違いを回避するようにするためである。
【００３６】
ユーザ（一般には、エンドユーザを指す）は、配布されたＣＤ−ＲＯＭ６を自宅のパソコン（すなわち、一般ユーザ端末）に装備されているＣＤドライブに挿入して、ＣＤ−ＲＯＭ６内に格納されている写真プリント注文用プログラムソフトを立ち上げる。その際の表示画面が図４に示すものである。この時点でデジタルカメラで撮影した画像データがこのパソコンに格納されていることが前提である。
【００３７】
まず、ユーザの操作としては、左欄に表示されているように、ＣＤ−ＲＯＭ６のパッケージに貼り付けられているショップＩＤを入力し、それから簡単なユーザ情報を入力する。
【００３８】
次に、注文画像を指定し、注文枚数を入力する。注文画像の指定、注文枚数の入力は、画面の中央に詳細に記載されている通り、１．ドライブを選択後、フォルダを指定すると該当画像が表示され、２．表示された画像の画像表示ワクをクリックすると、プリント注文となり、３．サイズ毎に枚数を入力し、４．注文経過（現在の注文数）が表示される。画面下方には、操作手順が表示される。
【００３９】
その後、注文内容を確認後、注文ボタンをクリックすると注文データが送信される。注文が完了すると、以下に説明する流れを経た後、注文確認メールが届く。このように、ＣＤ−ＲＯＭ６を用いて写真プリントをネット注文すると、パソコン（一般ユーザ端末４）に細かい複雑な設定をすることなく簡単な操作で注文を行うことができるので、ユーザは非常に楽に注文することができる。また、ユーザーが自らの端末（パソコン）でネットを介してプリントを注文できるので自宅に居ながらにして注文ができ、便利である。
【００４０】
上記注文ボタンをクリックすると、インターネット回線を通じて注文画像データを含んだ注文データ（以下、単に「注文データ」という）が写真サービス会社の受信サーバ１０に受信される（ステップ６２）。受信サーバ１０には、注文データが書き込まれる。
【００４１】
受信サーバ１０に書き込まれ、保存された注文データはエントリーサーバ１２に転送される（ステップ６４）。エントリーサーバ１２に転送された注文データは、エントリーサーバ１２内のデータベース１４に登録される。これによって、注文データがデータベース１４に順次登録されていくので、注文データの活用が自在になる。
【００４２】
合成サーバ１８では、データベース１４内の注文データを引き出し、注文内容がポストカード、カレンダーなどの場合は、画像を合成サーバ１８に格納されているテンプレートと合成し、注文内容がデジタルカメラプリントの場合には、合成は行われない（ステップ６６）。合成終了と同時に、又、デジタルカメラプリントの場合は注文データをデータベース１４から引き出した後に、受付ナンバー（５桁：「０００００」）を、「＊＊＊＊＊」に書き換える。「＊＊＊＊＊」は自動的に連番を生成するようになっている。受付ナンバーが決まった後、所コード（２桁）、店コード（５桁）、受付ナンバー（５桁）、チェックデジット（１桁）のトータル１３桁のコードで、注文物件が工場２０内工程を流れる。また、同時に受注確認用メール内にも、この１３桁コードを付して発注者であるユーザに送信する。また、合成サーバ１８が製品の単価情報をマスタサーバ１６から自動取得し、当該単価情報及び注文内容から注文金額を計算する。
【００４３】
図５は、受注確認用メールの例を示した図である。受注確認用メールの上の方「ご注文番号」がトータル１３桁のコードになっている。その下方には「ご注文金額合計」が記載されており、合成サーバ１８で計算された注文金額がここの「ご注文金額合計」の金額となる。受注確認用メールには、他に、注文日時、発注者メールアドレス、発注者電話番号、注文内容、仕上がりプリント受け取り店舗名、仕上がり予定日などが表示される。
【００４４】
この受注確認メールが合成サーバ１８から発注者の一般ユーザ端末４、仕上がりプリント受け取りが指定された店舗８の両方に送信される。
【００４５】
これによって、発注者である一般ユーザは、自分が発注した内容がきちんと受け付けられたことがわかり、さらに注文内容の金額までわかるので、安心であるし、予算準備ができる。また、仕上がりプリント受け取り店舗でも受注確認メールが届くことによって、発注者が仕上がりプリントを仕上がり予定日以降、受け取りに来店することが予想でき、そのための準備ができる。
【００４６】
トータル１３桁のコードが付された注文物件は、製品毎（すなわち、デジタルカメラ、ポストカード、カレンダーなど）にロット組をして工場２０内工程を流れる。
【００４７】
工場２０の工程内ではプリントが行われ、仕上がりプリントが出荷されて仕上がりプリント受け取り店舗に配送される。
【００４８】
発注者のユーザは、受注確認用メールに表示された仕上がり予定日、受け取り店舗名を見て仕上がりプリントを店舗に受け取りに行き、商品受け取り時に予めメールで通知を受けていた金額の代金を支払う。
【００４９】
本形態では、合成サーバ１８でプリント注文データの受付ナンバーを付与するので、同じ端末、同じＣＤ−ＲＯＭを利用して写真プリント注文を複数行った場合でも注文毎に区別がつき、写真サービス会社側でも注文が混同することがなく、処理を確実に行うことができる。
【００５０】
なお、本形態ではユーザーの端末から注文データを受信サーバ１０に送信する例を示したが、注文データ発信元はユーザーの端末に限るものではなく、店頭受付端末機でもよい。この場合、受注確認メールは店頭受付端末機の設置してある店舗に送信され、仕上がりプリント受け取り店舗がこの発注した店頭受付端末機の設置してある店舗の場合は、受注確認メールの送信先は１箇所で済む。
【００５１】
【発明の効果】
請求項１の本発明によれば、ユーザーが自らの端末でネットを介してプリントを注文できるので自宅に居ながらにして注文ができ、店頭受付端末からでも注文できて、この両方の場合でも発注者は、自分が注文した内容が注文内容通りに受け付けられたかどうかを確認できると共にそれにかかる費用もわかるので、注文後も安心であるし、いくら費用がかかるかわからないという心配もしなくて済む。
【００５２】
請求項２の本発明によれば、ユーザーや店などの発注者は、自分が注文した内容が注文内容通りに受け付けられたかどうかを確認でき、注文内容の費用もわかるので、注文後も安心であるし、費用も把握できて便利である。また、注文データをデータベース化するので、注文データのデータベースの種々の利用が可能になる。
【００５３】
請求項３の本発明によれば、ユーザーや店などの発注者は、自分が注文した内容が注文内容通りに受け付けられたかどうかを確認でき、注文内容の費用もわかるので、注文後も安心であるし、費用も把握できて便利である。ポストカードやカレンダーなどのようにテンプレートを利用する場合でも、プリント対象画像をテンプレートと合成して合成したプリント注文データの受付特定情報を生成するので、同じ端末から注文が複数あった場合にも注文毎に区別がつくので紛れることがない。
【００５４】
請求項４の本発明によれば、ユーザーは自分が注文した内容が注文内容通りに受け付けられたかどうかを確認でき、注文内容の費用もわかるので、注文後も安心であるし、費用も把握できて便利である。また、プリント注文データの受付特定情報を生成するので、同じプログラムソフトを利用して同じ端末から注文が複数あった場合にも注文毎に区別がつくので紛れることがない。
【図面の簡単な説明】
【図１】ネットプリントシステムのネットワーク構成図。
【図２】一般ユーザ端末から写真サービス会社へ写真プリントをインターネットを介してＦＴＰ送信にて注文する場合の一般ユーザ端末、写真サービス会社、受け取り店舗の構成を示した図。
【図３】一般ユーザが写真プリントを注文する前段階から注文、確認メール発信、写真プリント製品受け取りまでの詳細な流れを示したフローチャート。
【図４】ＣＤ−ＲＯＭを使用して写真プリントを注文する際の注文画面及び右下に当該ＣＤ−ＲＯＭに付与されたＩＤ番号を示した図。
【図５】受注確認用メールの例を示した図。
【符号の説明】
２…写真サービス会社、４…一般ユーザ端末、６…ＣＤ−ＲＯＭ、８…店舗、１０…受信サーバ、１２…エントリーサーバ、１４…データベース、１６…マスタサーバ、１８…合成サーバ、５０…データセンタＹ、５０Ａ…ネットサーバ
【図１】
2004139406.tif 000003
【図２】
2004139406.tif 000004
【図３】
2004139406.tif 000005
【図４】
2004139406.tif 000006
【図５】
2004139406.tif 000007